(57)【要約】【課題】レンズの汚れを確実に除去し得るレンズクリーナを提供する。【解決手段】ディスク本体２と、少なくとも一部がＵ字状に曲がった状態でディスク本体２の記録面２１側から突出する布帛製または不織布製のクリーニング部３とを備えている。この場合、クリーニング部３の少なくとも一部におけるディスク本体２の記録面２１側に位置する両端部は、記録面２１におけるディスク本体２の回転方向に沿って互いに離間する第１の位置Ａおよび第２の位置Ｂに配置されている。【選択図】図５
2008041206.tif 000002
【特許請求の範囲】
【請求項１】
ディスク本体と、少なくとも一部がＵ字状に曲がった状態で前記ディスク本体の一面側から突出する布帛製または不織布製のクリーニング部とを備えているレンズクリーナ。
【請求項２】
前記クリーニング部の前記少なくとも一部における前記ディスク本体の前記一面側に位置する両端部は、当該一面における当該ディスク本体の回転方向に沿って互いに離間する第１の位置および第２の位置に配置されている請求項１記載のレンズクリーナ。
【請求項３】
前記ディスク本体には、当該ディスク本体の前記一面における前記第１の位置において開口する第１の貫通孔が形成され、
前記クリーニング部は、前記少なくとも一部を含む一端側が短冊形状に形成されると共に前記第１の貫通孔を貫通して前記ディスク本体の前記一面側に位置すると共に、他端側が当該ディスク本体の他面側に位置している請求項２記載のレンズクリーナ。
【請求項４】
前記ディスク本体には、当該ディスク本体の前記一面における前記第２の位置に凹部が形成され、
前記クリーニング部は、前記一端側全体が前記少なくとも一部として構成されて、その先端部分が前記凹部内に固定されている請求項３記載のレンズクリーナ。
【請求項５】
前記ディスク本体には、当該ディスク本体の前記一面における前記第２の位置において開口する第２の貫通孔が形成され、
前記クリーニング部は、前記一端側における前記少なくとも一部を除く先端部分が前記第２の貫通孔を貫通して前記ディスク本体の前記他面側に位置している請求項３記載のレンズクリーナ。
【請求項６】
前記クリーニング部における前記他端側は、その幅が前記第１の貫通孔の開口幅よりも長く規定されている請求項３から５のいずれかに記載のレンズクリーナ。
【発明の詳細な説明】
【技術分野】
【０００１】
本発明は、光ピックアップのレンズをクリーニングするためのレンズクリーナに関するものである。
【背景技術】
【０００２】
この種のレンズクリーナとして、特開２００１−１１８２７６号公報に開示されたレンズクリーナが知られている。このレンズクリーナは、コンパクトディスクと実質的に同形状のディスクと、このディスクにおける盤面の所定位置に植設されたクリーニング部材とから構成されている。また、クリーニング部材は、束状に形成された繊維からなるブラシであって、先端部を所定長さ残して、基端部（根元部分）側に樹脂材が含浸されて構成されて、全体が変形したり傾倒したりすることなく、常に適正な起立状態を維持してピックアップレンズ面に先端部が接触可能となっている。
【特許文献１】特開２００１−１１８２７６号公報（第３−４頁、第２図）
【発明の開示】
【発明が解決しようとする課題】
【０００３】
ところが、上記のレンズクリーナには、以下の問題点がある。すなわち、このレンズクリーナでは、束状に形成されてブラシを構成する各繊維の先端がレンズに点的にまた線的に接触することにより、レンズに付着している汚れを払拭するように構成されている。このため、このレンズクリーナには、ヤニ、指紋および油といった付着力の強い異物を確実に払拭（除去）することができないという問題が存在する。
【０００４】
本発明は、かかる問題点に鑑みてなされたものであり、レンズの汚れを確実に除去し得るレンズクリーナを提供することを主目的とする。
【課題を解決するための手段】
【０００５】
上記目的を達成すべく本発明に係るレンズクリーナは、ディスク本体と、少なくとも一部がＵ字状に曲がった状態で前記ディスク本体の一面側から突出する布帛製または不織布製のクリーニング部とを備えている。
【０００６】
また、本発明に係るレンズクリーナは、前記クリーニング部の前記少なくとも一部における前記ディスク本体の前記一面側に位置する両端部は、当該一面における当該ディスク本体の回転方向に沿って互いに離間する第１の位置および第２の位置に配置されている。
【０００７】
また、本発明に係るレンズクリーナは、前記ディスク本体には、当該ディスク本体の前記一面における前記第１の位置において開口する第１の貫通孔が形成され、前記クリーニング部は、前記少なくとも一部を含む一端側が短冊形状に形成されると共に前記第１の貫通孔を貫通して前記ディスク本体の前記一面側に位置すると共に、他端側が当該ディスク本体の他面側に位置している。
【０００８】
また、本発明に係るレンズクリーナは、前記ディスク本体には、当該ディスク本体の前記一面における前記第２の位置に凹部が形成され、前記クリーニング部は、前記一端側全体が前記少なくとも一部として構成されて、その先端部分が前記凹部内に固定されている。
【０００９】
また、本発明に係るレンズクリーナは、前記ディスク本体には、当該ディスク本体の前記一面における前記第２の位置において開口する第２の貫通孔が形成され、前記クリーニング部は、前記一端側における前記少なくとも一部を除く先端部分が前記第２の貫通孔を貫通して前記ディスク本体の前記他面側に位置している。
【００１０】
また、本発明に係るレンズクリーナは、前記クリーニング部における前記他端側の幅が前記第１の貫通孔の開口幅よりも長く規定されている。
【発明の効果】
【００１１】
本発明に係るレンズクリーナによれば、少なくとも一部がＵ字状に曲がった状態でディスク本体の一面側から突出する布帛製または不織布製のクリーニング部を備えたことにより、光ピックアップがクリーニング部のＵ字状に曲がった一部と接触するときには、この曲がった一部とディスク本体の一面側におけるこの曲がった一部との対向面の間に形成されている空間部による緩衝作用により、クリーニング部から光ピックアップへの衝撃力を緩和することができる。また、光ピックアップがクリーニング部と接触しつつ移動しているときには、空間部の存在により、クリーニング部のＵ字状に曲がった一部が上方に跳ね上げられる事態を回避できる結果、光ピックアップとクリーニング部のこの一部との面的な接触状態を十分に維持することができる。このため、面的な接触が確保された状態を維持しつつ、光ピックアップがクリーニング部の下方を移動することにより、クリーニング部に染み込んだクリーニング液による汚れの軟化や溶解の効果と、クリーニング部の接触による汚れの掻き取り効果とを同時に作用させることができる結果、レンズに固着した汚れを確実に除去することができる。
【００１２】
また、本発明に係るレンズクリーナによれば、クリーニング部のＵ字状に曲がった一部におけるディスク本体の一面側に位置する両端部を、この一面におけるディスク本体の回転方向に沿って互いに離間する第１の位置および第２の位置に配置したことにより、クリーニング部のＵ字状に曲がった一部に対して斜めにレンズを当接させる事態を回避できると共に、クリーニング部のこの一部を良好な状態で長時間に亘ってレンズと接触させることができる。このため、レンズに固着している汚れをより確実に除去することができる。
【００１３】
また、本発明に係るレンズクリーナによれば、ディスク本体の一面における第１の位置において開口する第１の貫通孔をディスク本体に形成し、かつクリーニング部の少なくとも一部を含む一端側を短冊形状に形成すると共に第１の貫通孔を貫通してディスク本体の一面側に位置させると共に、他端側をディスク本体の他面側に位置させたことにより、クリーニング部の他端側にクリーニング液を滴下したときにはこの他端側を保水部として機能させて、クリーニング液を他端側から一端側に徐々に供給することができる。
【００１４】
さらに、本発明に係るレンズクリーナによれば、ディスク本体の一面における第２の位置に凹部を形成し、一端側全体を上記の少なくとも一部として構成して、その先端部分を凹部内に固定したことにより、クリーニング部のＵ字状に曲がった一部の先端部分を所定の位置にずれのない状態で確実に固定することができる。したがって、クリーニング部のＵ字状に曲がった一部のディスク本体の一面側からの突出長をより確実に一定にすることができる。
【００１５】
また、本発明に係るレンズクリーナによれば、ディスク本体の一面における第２の位置において開口する第２の貫通孔をディスク本体に形成し、クリーニング部の一端側における上記の少なくとも一部（Ｕ字状に曲がった一部）を除く先端部分を第２の貫通孔を貫通してディスク本体の他面側に位置させた（配設した）ことにより、クリーニング部のディスク本体に対する固定をディスク本体の他面側のみで行うことができるため、接着作業を一層簡略化することができる。また、ディスク本体の他面側に配設されたクリーニング部の一端側における先端部分にクリーニング液を滴下することにより、この先端部分を保水部としても機能させることができるため、ディスク本体の一面側に位置するクリーニング部のＵ字状に曲がった一部へのクリーニング液の供給をより一層確実に行うことができる。
【００１６】
また、本発明に係るレンズクリーナによれば、クリーニング部における他端側の幅を第１の貫通孔の開口幅よりも長く規定したことにより、クリーニング部のディスク本体への取付けに際して、ディスク本体における第１の貫通孔の口縁とクリーニング部の他端側とが当接するまでクリーニング部を挿入するだけで、ディスク本体の一面側へのクリーニング部の突出長を一定に揃えることができる。したがって、クリーニング部におけるＵ字状に曲がった一部のディスク本体の一面側からの突出長を常に一定に揃えることができると共に、取付け作業時間を十分に短縮することができる。
【発明を実施するための最良の形態】
【００１７】
以下、本発明に係るレンズクリーナの最良の形態について、添付図面を参照して説明する。
【００１８】
最初に、レンズクリーナ１の構成について、図面を参照して説明する。
【００１９】
図１に示すレンズクリーナ１は、本発明に係るレンズクリーナの一例であって、同図および図２，３に示すように、ディスク本体２、第１のクリーニング部３および第２のクリーニング部４（以下、クリーニング部３，４ともいう）を備えて構成されている。ディスク本体２は、クリーニング対象としての光ピックアップ１０１（図５，６参照）を備えたディスク装置（図示せず）に装着されるディスク状の情報媒体（一例として、ＣＤやＤＶＤ）とほぼ同じ大きさで、かつほぼ同じ厚みであって中心孔５を有する円板状に形成されている。
【００２０】
また、ディスク本体２の一面（以下、この面を「記録面２１」ともいう）側の中心部における環状エリア２１ａ（図１参照）には、ディスク装置に対してレンズクリーナ１を認識させるためのＴＯＣ（Table Of Contents ）情報が記録されている。この場合、環状エリア２１ａの位置は、情報媒体におけるリードインエリア（インデックスデータ等が記録されているエリア）と同じか若しくはほぼ同じ位置に規定されている。また、ディスク本体２の他面（以下、この面を「レーベル面２２」ともいう）には、図示はしないが、例えば、レンズクリーナ１の使用方法等を示す文字が印刷（表記）されている。
【００２１】
また、ディスク本体２には、図１，３，５に示すように、貫通孔２３（本発明における第１の貫通孔）が第１の位置Ａに形成されている。また、ディスク本体２には、クリーニング部３における本体部３１の先端部分を収容するための凹部２４が記録面２１における第２の位置Ｂに形成されている。この場合、貫通孔２３および凹部２４の各位置Ａ，Ｂは、ディスク本体２の回転方向（周方向）に沿って互いに離間する位置に規定されている。具体的には、各位置Ａ，Ｂは、ディスク本体２の回転中心Ｏを中心とし、かつ環状エリア２１ａ内に含まれる１つの仮想円Ｙ上であって、互いに約３ｍｍ離間する位置に規定されている。また、貫通孔２３および凹部２４は、その平面形状が互いに同じ寸法の長方形（一例として１ｍｍ×３ｍｍ）に形成されると共に、互いの長手方向がディスク本体２の回転中心Ｏと各位置Ａ，Ｂの中間点とを通過する仮想直線（図１中のＷ−Ｗ線）と平行になるように形成されている。
【００２２】
クリーニング部３は、図４に示す形状に裁断された保液性および吸水性を有するほぼ均一の厚みの布帛または不織布（一例としてポリエステル繊維製の布帛または不織布。具体例としては、クラレ社製の商品名「ソフィスタ（登録商標）」）で形成されて、いわゆる湿式のクリーニング部を構成している。一例として本例では、クリーニング部３は、一端側（同図中の右端側）が短冊形状（長方形）に形成されて本体部３１として構成されると共に、他端側（同図中の左端側）が平面視円形に形成されて頭部３２として構成されている。この場合、本体部３１は、その横幅が貫通孔２３内に挿入可能で、かつ先端部分が凹部２４内に挿入可能な長さに規定されて、レンズ１０２をクリーニングする部位として機能する。また、頭部３２は、その直径が本体部３１の横幅よりも長く、具体的には、貫通孔２３の開口幅（上記仮想直線に沿った幅）よりも長く設定されている。クリーニング部３は、このように円形および短冊形状のように極めて簡単な形状の組み合わせで構成されているため、その製造が容易であり、また、後述するように本体部３１の貫通孔２３への挿入作業も容易となっている。また、頭部３２の形状は、円形に代えて、楕円形や、三角形、正方形および長方形などの多角形など、他の簡単な図形形状としてもよいのは勿論である。
【００２３】
また、本例では、光ピックアップ１０１への衝撃を軽減するため、一枚の薄い布帛を用いてクリーニング部３の軽量化を図っているが、光ピックアップ１０１に与える衝撃が許容し得る範囲内であれば、一枚の厚い布帛や、薄い布帛を複数枚を重ねた積層体を用いてクリーニング部３を構成することもできる。また、クリーニング部３は、図３，５に示すように、ディスク本体２のレーベル面２２側から本体部３１が貫通孔２３内に挿入されており、また、頭部３２がレーベル面２２における貫通孔２３の口縁に当接するまで挿入されると共に記録面２１側に突出した部位が記録面２１方向に曲げられて、先端部が接着剤等（図示せず）によって凹部２４内に固定されて構成されている。これにより、クリーニング部３の本体部３１における記録面２１側に位置する部位（本発明における少なくとも一部）は、長手方向の両端部がディスク本体２の記録面２１における互いに離間した第１の位置Ａと第２の位置Ｂとに配置され、中央部分が記録面２１から突出した状態でＵ字状に曲げられた状態となっている。
【００２４】
また、クリーニング部３の頭部３２は、図３，５に示すように、一例として、本体部３１との接合部分を支点として本体部３１の曲げ方向（同図中の右方向）と同一方向に曲げられてレーベル面２２に接着剤等（図示せず）によって固定されている。また、後述するように、頭部３２にはクリーニング液２０１が滴下され、このクリーニング液２０１が頭部３２から本体部３１に徐々に供給される。したがって、頭部３２はクリーニング液２０１の保水部として機能する。なお、頭部３２に関しては、同図とは逆の方向に曲げてレーベル面２２に固定してもよいのは勿論である。
【００２５】
クリーニング部４は、一例として繊維の束で構成されたブラシ（図示しない）で形成されて、いわゆる乾式のクリーニング部を構成している。また、クリーニング部４は、図１に示すように、ディスク本体２の記録面２１における仮想円Ｙ上であって、回転中心Ｏを挟んでクリーニング部３と反対側となる位置Ｃに突設されている。なお、本例では、クリーニング部４は、ブラシに代えて、１枚の不織布に切れ目を入れてのれん状に形成した構成など種々の乾式のクリーニング構造を採用して構成してもよいのは勿論である。
【００２６】
次に、レンズクリーナ１を用いて、ディスク装置（図示せず）における光ピックアップ１０１のレンズ１０２（図５，６参照）をクリーニングする方法について、図面を参照して説明する。
【００２７】
まず、図５に示すように、ディスク本体２の記録面２１を下向きにした状態で、クリーニング液２０１をクリーニング部３の頭部３２に滴下する。この際に、滴下されたクリーニング液２０１が保液部として機能する頭部３２によって保液される。また、頭部３２によって保液されたクリーニング液２０１は、頭部３２から本体部３１に徐々に供給される。
【００２８】
次いで、記録面２１を下向きにしてレンズクリーナ１をディスク装置にセットし、ディスク装置に対して再生操作を行う。これに応じて、ディスク装置が、レンズクリーナ１に記録されているＴＯＣ情報の光ピックアップ１０１を介しての読み出しを開始する。次いで、ディスク装置は、読み出したＴＯＣ情報に基づき、セットされているレンズクリーナ１が例えばＣＤ（またはＣＤと同様の構成の円板体）であると判別して、インデックスデータを読み出すべく、駆動モータによるレンズクリーナ１の回転、および光ピックアップ１０１によるフォーカシングを開始させる。具体的には、光ピックアップ１０１は、検出光を射出すると共にその検出光の反射光を受光しつつ、レンズクリーナ１の環状エリア２１ａに対向する領域内において、レンズクリーナ１の半径方向（ディスク本体２の半径方向でもある）に沿って往復移動すると共に、上下方向にも往復移動することによってフォーカシングを行う。
【００２９】
この際に、レンズクリーナ１の回転に伴い、光ピックアップ１０１は、レンズクリーナ１の周方向に沿って相対的に移動して、レンズクリーナ１の記録面２１に配設されているクリーニング部３の本体部３１に対して、図５に示すように、まず、貫通孔２３側から接近して接触し、次いで、図６に示すように接触した状態で凹部２４側に移動し、その後に、本体部３１から離反して非接触状態に移行する。この場合、光ピックアップ１０１が本体部３１と接触（当接）するときには、図５に示すようにＵ字状の本体部３１と記録面２１における本体部３１との対向面の間に形成されている空間部３３に存在している空気層が緩衝作用を発揮して、本体部３１から光ピックアップ１０１への衝撃力を緩和する。また、光ピックアップ１０１が本体部３１と接触しつつ凹部２４側に移動しているときには、図６に示すように、空間部３３内の空気層の存在により、光ピックアップ１０１との当接の際に本体部３１の下部が上方に跳ね上げられる事態を回避（軽減）できる結果、光ピックアップ１０１と本体部３１との面的な接触状態が十分に維持される。このため、このように面的な接触が確保された状態（接触面積が多い状態）を維持しつつ、光ピックアップ１０１が本体部３１の下方を移動することにより、本体部３１に染み込んだクリーニング液２０１による汚れの軟化や溶解の効果と、クリーニング部３の接触による汚れの掻き取り効果とが同時に作用する。この結果、レンズ１０２に汚れが固着していたとしても、その固着している汚れが確実に除去される。
【００３０】
また、クリーニング部３の本体部３１は、その両端側が１つの仮想円Ｙ上に規定された各位置Ａ，Ｂにそれぞれ位置しているため、レンズ１０２を本体部３１とほぼ直角に当接させることができる。したがって、レンズ１０２を本体部３１に対して斜めに当接させることに起因して本体部３１が捩れる事態を回避できる結果、良好な接触状態（本体部３１が捩れないで接触する状態）が長時間に亘って維持される。このため、レンズ１０２に固着している汚れがより確実に除去される。
【００３１】
また、光ピックアップ１０１は、クリーニング部３と同様にしてクリーニング部４とも接触および非接触の状態を繰り返す。このため、例えば、本体部３１に染み込んだクリーニング液２０１によって軟化された汚れがクリーニング部３だけでなくクリーニング部４にとっても掻き取られる。したがって、クリーニング部３，４の接触による汚れの掻き取り効果が同時に発揮されるため、レンズ１０２に固着している汚れが一層確実に除去されて、クリーニングの効率が十分に向上される。
【００３２】
上記の動作を所定時間継続させてクリーニングを実行し、クリーニングを終了させる際には、ディスク装置に対して停止操作を行う。これに応じて、ディスク装置が、光ピックアップ１０１を制御して、光ピックアップ１０１を初期状態の位置に移動させた後に、動作を停止させる。また、ディスク装置は、駆動モータによるレンズクリーナ１の回転を停止させる。これにより、レンズクリーナ１の回転が停止して、レンズ１０２に対するクリーニングが終了すると共に、レンズクリーナ１がディスク装置から取り出し可能な状態となる。
【００３３】
このように、このレンズクリーナ１によれば、本体部３１がＵ字状に曲がった状態でディスク本体２の記録面２１から突出するようにクリーニング部３をディスク本体２に配設したことにより、光ピックアップ１０１が本体部３１と接触するときには、空間部３３による緩衝作用により、本体部３１から光ピックアップ１０１への衝撃力を緩和することができる。また、光ピックアップ１０１が本体部３１と接触しつつ凹部２４側に移動しているときには、空間部３３の存在により、本体部３１が上方に跳ね上げられる事態を回避できる結果、光ピックアップ１０１と本体部３１との面的な接触状態を十分に維持することができる。このため、面的な接触が確保された状態を維持しつつ、光ピックアップ１０１が本体部３１の下方を移動することにより、本体部３１に染み込んだクリーニング液２０１による汚れの軟化や溶解の効果と、クリーニング部３の接触による汚れの掻き取り効果とを同時に作用させることができる結果、レンズ１０２に固着した汚れを確実に除去することができる。
【００３４】
また、このレンズクリーナ１によれば、ディスク本体２の記録面２１におけるディスク本体２の回転方向に沿って互いに離間する第１の位置Ａおよび第２の位置Ｂに本体部３１の両端部を配置したことにより、レンズ１０２を本体部３１に対して斜めに当接させる事態を回避できると共に、本体部３１を良好な状態で長時間に亘ってレンズ１０２と接触させることができる。このため、レンズ１０２に固着している汚れをより確実に除去することができる。
【００３５】
さらに、このレンズクリーナ１によれば、記録面２１における第１の位置Ａにおいて開口する貫通孔２３をディスク本体２に形成し、かつクリーニング部３における一端側を本体部３１として貫通孔２３に挿入可能な横幅の短冊形状に形成して貫通孔２３に貫通させ、この本体部３１をディスク本体２の一面側に位置させると共に、他端側を頭部３２としてディスク本体２の他面側に位置させたことにより、頭部３２にクリーニング液２０１を滴下したときには頭部３２を保水部として機能させて、クリーニング液２０１を頭部３２から記録面２１側に位置する本体部３１に徐々に供給することができる。
【００３６】
また、このレンズクリーナ１によれば、ディスク本体２の記録面２１における第２の位置Ｂに凹部２４を形成し、本体部３１の先端部分を凹部２４内に固定する構成を採用したことにより、本体部３１の先端部分を所定の位置にずれのない状態で確実に固定することができる。したがって、Ｕ字状に曲がった状態での本体部３１のディスク本体２の記録面２１からの突出長をより確実に一定にすることができる。
【００３７】
また、このレンズクリーナ１によれば、頭部３２の幅を貫通孔２３の開口幅よりも長く規定したことにより、クリーニング部３のディスク本体２への取付けに際して、ディスク本体２における貫通孔２３の口縁と頭部３２とが当接するまで本体部３１を挿入するだけで、記録面２１側への本体部３１の突出長を一定に揃えることができる。したがって、Ｕ字状に曲がった状態での本体部３１のディスク本体２の記録面２１からの突出長を常に一定に揃えることができると共に、取付け作業時間を十分に短縮することができる。
【００３８】
なお、本発明は上記の構成に限定されない。例えば、本体部３１の先端部分をディスク本体２の凹部２４に固定することにより、クリーニング部３の一端側、つまり本体部３１全体を記録面２１側に位置させる構成を採用した例について上記したが、凹部２４に代えて、図７に示すレンズクリーナ１Ａのように、記録面２１における第２の位置Ｂにおいて開口する貫通孔２５（本発明における第２の貫通孔）をディスク本体２Ａに形成する構成を採用することもできる。また、このレンズクリーナ１Ａにおいては、同図に示すように、本体部３１の先端部分３１ａを除く部位（記録面２１側に位置する部位）３１ｂを本発明における少なくとも一部として機能させて記録面２１側においてＵ字状に曲げ、かつ本体部３１の先端部分３１ａを貫通孔２５に挿入してレーベル面２２側に突出させた状態でクリーニング部３をディスク本体２Ａに取り付ける。なお、レンズクリーナ１およびクリーニング部３と同一の構成については同一の符号を付して重複する説明を省略する。
【００３９】
具体的に、レンズクリーナ１Ａにおけるクリーニング部３のディスク本体２Ａへの取付け構造について説明すると、クリーニング部３は、頭部３２がディスク本体２における貫通孔２３の口縁と当接するまで本体部３１が貫通孔２３に挿入されている。また、本体部３１は、その先端部分３１ａが記録面２１側から貫通孔２５内に挿入されてレーベル面２２側に所定長だけ突出させられている。この場合、本体部３１における記録面２１側に位置する部位３１ｂ（本発明におけるクリーニング部３における少なくとも一部）は、Ｕ字状に曲がった状態で記録面２１から突出している。また、この本体部３１におけるレーベル面２２側に突出する先端部分３１ａと頭部３２とがレーベル面２２に折り曲げられた状態で接着剤等によって固定されている。
【００４０】
このレンズクリーナ１Ａによれば、レンズクリーナ１と同様の上記の作用効果を奏すると共に、本体部３１の先端部分３１ａをレーベル面２２側に配設したことにより、クリーニング部３のディスク本体２に対する固定をレーベル面２２側のみで行うことができるため、接着作業を一層簡略化することができる。また、レーベル面２２側に配設された本体部３１の先端部分３１ａにクリーニング液２０１を滴下することにより、この本体部３１の先端部分３１ａを保水部としても機能させることができるため、本体部３１における記録面２１側に位置する部位３１ｂへのクリーニング液２０１の供給をより一層確実に行うことができる。
【００４１】
また、ディスク本体２に貫通孔２３（および貫通孔２５）を設けてクリーニング部３をディスク本体２に貫通させる構成について上記したが、図８，９に示すように、貫通孔を形成しない構成を採用することもできる。まず、図８を参照して、ディスク本体２Ｂの記録面２１側に２つの凹部２４，２６を形成したレンズクリーナ１Ｂについて説明する。なお、レンズクリーナ１と同一の構成については同一の符号を付して重複する説明を省略し、相違する構成についてのみ説明する。
【００４２】
レンズクリーナ１Ｂは、ディスク本体２Ｂとクリーニング部３Ｂとを備えて構成されている。この場合、ディスク本体２Ｂは、ディスク本体２における貫通孔２３に代えて、記録面２１における第１の位置Ａに凹部２６が形成されている以外は、レンズクリーナ１と同一に構成されている。この場合、凹部２６は、一例としてその平面形状が凹部２４と同一に規定されている。クリーニング部３Ｂは、その長さが各凹部２４，２６間の距離よりも長く、かつその横幅が各凹部２４，２６の長さよりも短い短冊形状に形成されている。また、クリーニング部３Ｂは、各先端部が接着剤等によって各凹部２４，２６内に固定されている。これにより、クリーニング部３Ｂは、その全体がディスク本体２の記録面２１側に位置した状態で、中央部分が突出した状態でＵ字状に曲がった状態となっている。
【００４３】
このレンズクリーナ１Ｂによれば、クリーニング部３Ｂにクリーニング液２０１を滴下することにより、レンズクリーナ１と同様の上記の作用効果を奏して、レンズ１０２に固着している汚れを確実に除去することができる。ただし、レンズクリーナ１Ｂでは、レンズクリーナ１，１Ａのクリーニング部３とは異なり、構成上においてクリーニング部３Ｂに明確な保水部が設けられていないが、例えば、ディスク本体２Ｂ側に位置する各端部側にクリーニング液２０１を滴下することにより、その各端部側を簡易的な保水部として機能させて、レンズ１０２に直接的に接する中央部分にクリーニング液２０１を供給させることもできる。また、このレンズクリーナ１Ｂによれば、クリーニング部３Ｂの形状を一層単純な形状としたことにより、クリーニング部３Ｂの製造コストを十分に低減することができる。
【００４４】
次いで、図９を参照しつつ、ディスク本体２に貫通孔および凹部を形成していないレンズクリーナ１Ｃについて説明する。なお、レンズクリーナ１，１Ａと同一の構成については同一の符号を付して重複する説明を省略し、相違する構成についてのみ説明する。
【００４５】
レンズクリーナ１Ｃは、図９に示すように、ディスク本体２Ｃとクリーニング部３Ｃとを備えて構成されている。この場合、ディスク本体２Ｃは、ディスク本体２において貫通孔２３が形成されていた第１の位置Ａ、および凹部２４が形成されていた第２の位置Ｂには、貫通孔２３および凹部２４を形成しない構成が採用されている。一方、クリーニング部３Ｃは、その長さが各位置Ａ，Ｂ間の距離よりも長く、かつその横幅が環状エリア２１ａの幅以下の短冊形状に形成されている。また、クリーニング部３Ｃは、各先端部３１ｃを所定長だけ記録面２１に密着させた状態で接着剤等によって記録面２１に固定されている。この場合、クリーニング部３Ｃでは、記録面２１に接着されない中央の部位３１ｂが、本発明における少なくとも一部として機能して、Ｕ字状に曲がった状態で記録面２１から突出すると共に、１つの先端部３１ｃ（同図において左側の先端部３１ｃ）が位置Ａを起点として、位置Ｂから離反する方向の位置までの間に配置され、他の１つの先端部３１ｃ（同図において右側の先端部３１ｃ）が位置Ｂを起点として、位置Ａから離反する方向の位置までの間に配置されている。
【００４６】
このレンズクリーナ１Ｃによれば、クリーニング部３Ｃにおける記録面２１に密着された両先端部３１ｃの少なくとも一方にクリーニング液２０１を滴下することにより、クリーニング部３Ｃの先端部３１ｃが保水部として機能して、レンズクリーナ１と同様の上記の作用効果を奏して、レンズ１０２に固着している汚れを確実に除去することができる。また、このレンズクリーナ１Ｃによれば、クリーニング部３Ｃを一層単純な形状としたことにより、クリーニング部３Ｂと同様にして製造コストを十分に低減することができる。
【００４７】
また、クリーニング部３，３Ｂ，３Ｃを１つ備えた例について上記したが、クリーニング部の数は、これに限定されず任意の複数に規定することができる。また、乾式のクリーニング部４を備えた例について上記したが、クリーニング部４を備えることなく、湿式のクリーニング部３，３Ｂ，３Ｃのみを備えた構成を採用することもできる。
【図面の簡単な説明】
【００４８】
【図１】記録面２１側から見たレンズクリーナ１の平面図である。
【図２】図１におけるＷ−Ｗ線断面図である。
【図３】図１におけるＸ−Ｘ線断面図である。
【図４】クリーニング部３の斜視図である。
【図５】図１におけるクリーニング部３およびその近傍のディスク本体の周方向に沿った断面図（レンズ１０２と非接触の状態の断面図）である。
【図６】図１におけるクリーニング部３およびその近傍のディスク本体の周方向に沿った断面図（レンズ１０２と接触している状態の断面図）である。
【図７】レンズクリーナ１Ａにおけるクリーニング部３およびその近傍のディスク本体の周方向に沿った断面図である。
【図８】レンズクリーナ１Ｂにおけるクリーニング部３Ｂおよびその近傍のディスク本体の周方向に沿った断面図である。
【図９】レンズクリーナ１Ｃにおけるクリーニング部３Ｃおよびその近傍のディスク本体の周方向に沿った断面図である。
【符号の説明】
【００４９】
１，１Ａ，１Ｂ，１Ｃ  レンズクリーナ
２，２Ａ，２Ｂ，２Ｃ  ディスク本体
３，３Ｂ，３Ｃ  クリーニング部
２１  記録面
２２  レーベル面
２３，２５  貫通孔
２４，２６  凹部
３１  本体部
３２  頭部
１０１  光ピックアップ
１０２  レンズ
２０１  クリーニング液
Ａ  第１の位置
Ｂ  第１の位置
【図１】
2008041206.tif 000003
【図２】
2008041206.tif 000004
【図３】
2008041206.tif 000005
【図４】
2008041206.tif 000006
【図５】
2008041206.tif 000007
【図６】
2008041206.tif 000008
【図７】
2008041206.tif 000009
【図８】
2008041206.tif 000010
【図９】
2008041206.tif 000011